(57)【要約】  【課題】送信権管理装置を備えたデマンドアサインTDMA通信伝送システムでは、各端末間の伝送路状態が異なり伝送路状況によっては効率的な通信ができない。  【解決手段】他の端末３１１、３１ｎとの間の伝送路情報を取得する伝送路情報取得手段３３１と、取得した伝送路情報を送信権管理装置３２０に送信する伝送路情報送信手段３３２とを有する複数の端末３１０と、それぞれの端末３１０からの伝送路情報を受信する伝送路情報受信手段３２１と、伝送路情報を考慮して各端末３１０、３１１間で信号を送受信する時間帯を割り当てる送信権割当処理手段３２２と、時間帯の割り当て結果を複数のそれぞれの端末３１０、３１１、３１ｎに送信する送信権情報送信手段３２３とを有する送信権管理装置３２０と、伝送路３４０とを備えた。【選択図】図１ 
2006013802.tif 000002
【特許請求の範囲】
【請求項１】
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムにおいて、
前記複数の端末のそれぞれは、
それぞれの他の端末との間の伝送路情報を取得する伝送路情報取得手段と、
取得した前記伝送路情報を、前記送信権管理装置に送信する伝送路情報送信手段とを有し、
前記送信権管理装置は、
前記複数のそれぞれの端末からの前記伝送路情報を受信する伝送路情報受信手段と、
前記伝送路情報を考慮して、前記各端末間で信号を送受信する時間帯を割り当てる送信権割当処理手段と、
前記時間帯の割り当て結果を前記複数のそれぞれの端末に送信する送信権情報送信手段とを有する、伝送システム。
【請求項２】
前記伝送路情報は、前記他の端末と通信する際の伝送条件と、それに対する伝送路状態に関する情報である、請求項１に記載の伝送システム。
【請求項３】
前記伝送条件が複数種類の場合には、前記送信権管理装置は、前記時間帯を割り当てるとともに伝送条件も決定する、請求項２に記載の伝送システム。
【請求項４】
前記伝送条件とは、周波数帯および／または、変調方式と伝送帯域幅である、請求項３に記載の伝送システム。
【請求項５】
前記伝送路状態とは、伝送速度および／または伝送エラー率である、請求項２に記載の伝送システム。
【請求項６】
前記伝送路状態とは、伝送速度であり、
前記送信権情報処理手段は、前記伝送速度を考慮して、伝送速度の遅い端末間の通信に、送受信する時間帯を多く割り当てる、請求項２に記載の伝送システム。
【請求項７】
前記複数の端末のそれぞれは、前記伝送路情報の他に、送信先の端末に送信する伝送データの容量も送信し、
前記送信権管理装置は、さらに、前記容量も考慮して前記時間帯を割り当てる、請求項１に記載の伝送システム。
【請求項８】
前記伝送路情報とは、伝送速度であり、
前記送信権情報処理手段は、前記伝送速度および前記容量を考慮し、端末間の前記伝送データの送信の終了が遅い通信に、送受信する時間帯を多く割り当てる、請求項７に記載の伝送システム。
【請求項９】
前記伝送路情報とは、送信先の端末に送信する伝送データを前記送信先の端末に送信するために必要な時間である、請求項１に記載の伝送システム。
【請求項１０】
前記複数の端末のそれぞれは、一定期間ごとに、他のそれぞれの端末との間の伝送路情報を取得して更新する、請求項１に記載の伝送システム。
【請求項１１】
前記複数の端末のそれぞれは、前記他の端末との通信で希望する伝送条件における伝送路情報のみを、前記管理装置に送信する、請求項３に記載の伝送システム。
【請求項１２】
前記複数の端末のそれぞれは、前記複数の伝送路情報のそれぞれに対する優先度を付与して送信し、
前記送信権管理装置は、さらに、前記優先度も考慮して、前記時間帯を割り当てるとともに伝送条件も決定する、請求項３に記載の伝送システム。
【請求項１３】
前記複数の端末のそれぞれは、特定の端末間の通信に、優先的な使用を希望する周波数帯および／または変調方式と伝送帯域幅に、高い優先度を付与する、請求項１２に記載の伝送システム。
【請求項１４】
前記送信権管理装置は、前記伝送路を介して、前記複数の端末のそれぞれに、伝送路状態を更新するように依頼する伝送路情報更新依頼手段をさらに有する、請求項１に記載の伝送システム。
【請求項１５】
前記複数の端末のそれぞれは、前記送信権管理装置に通信時間の割り当てを要求する際に、前記伝送路情報を送信する、請求項１に記載の伝送システム。
【請求項１６】
前記複数の端末のそれぞれは、前記送信権管理装置に通信時間の割り当てを要求する前に、予め前記伝送路情報を送信しておく、請求項１に記載の伝送システム。
【請求項１７】
前記複数の端末のそれぞれは、前記送信権管理装置に通信時間の割り当てを要求する際に、前記伝送路情報を取得する、請求項１に記載の伝送システム。
【請求項１８】
前記伝送路は、複数の同軸ケーブルと、一の同軸ケーブルの信号を他の複数の同軸ケーブルの信号に分岐させる分配器とを有する、請求項１に記載の伝送システム。
【請求項１９】
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムの伝送方法において、
前記複数の端末は、
他のそれぞれの端末との間の伝送路情報を取得するステップと、
取得した前記伝送路情報を、前記送信権管理装置に送信するステップとを有し、
前記送信権管理装置は、
前記複数のそれぞれの端末からの前記伝送路情報を受信するステップと、
前記伝送路情報を考慮して、前記各端末間で信号を送受信する時間帯を割り当てるステップと、
前記時間帯の割り当て結果を前記複数のそれぞれの端末に送信するステップとを有する、伝送方法。
【請求項２０】
請求項１に記載の伝送システムの複数の端末のそれぞれの、
それぞれの他の端末との間の伝送路情報を取得する前記伝送路情報取得手段、
および、取得した前記伝送路情報を、前記送信権管理装置に送信する前記伝送路情報送信手段、としてコンピュータを機能させるためのプログラム。
【請求項２１】
請求項２０に記載のプログラムを担持した記録媒体であって、コンピュータで利用可能な記録媒体。
【請求項２２】
請求項１に記載の伝送システムの送信権管理装置の、
前記複数のそれぞれの端末からの前記伝送路情報を受信する前記伝送路情報受信手段、
前記伝送路情報を考慮して、前記各端末間で信号を送受信する時間帯を割り当てる前記送信権割当処理手段、
前記時間帯の割り当て結果を前記複数のそれぞれの端末に送信する前記送信権情報送信手段、としてコンピュータを機能させるためのプログラム。
【請求項２３】
請求項２２に記載のプログラムを担持した記録媒体であって、コンピュータで利用可能な記録媒体。
【請求項２４】
請求項１に記載の伝送システムにおける、
それぞれの他の端末との間の伝送路情報を取得する伝送路情報取得手段と、
取得した前記伝送路情報を、送信権管理装置に送信する伝送路情報送信手段とを備えた端末。
【請求項２５】
請求項１に記載の伝送システムにおける、
複数のそれぞれの端末からの伝送路情報を受信する伝送路情報受信手段と、
前記伝送路情報を考慮して、前記各端末間で信号を送受信する時間帯を割り当てる送信権割当処理手段と、
前記時間帯の割り当て結果を前記複数のそれぞれの端末に送信する送信権情報送信手段とを備えた送信権管理装置。
【発明の詳細な説明】
【技術分野】
【０００１】
本発明は、デマンドアサインＴＤＭＡ（DemandAssignment Time Division Multiple Access）通信を行う伝送システム、伝送方法、端末、および送信権管理装置に関するものである。例えば、ＬＡＮシステム等の伝送帯域を共有し、収容する装置とその端末に対して送信権を管理する送信権管理装置を備えた伝送システム、伝送方法、およびこれらに使用される端末、送信権管理装置に関するものである。
【背景技術】
【０００２】
以下、従来のデマンドアサインＴＤＭＡ通信を行う伝送システムの実施の形態について、図面を参照しながら説明する。
【０００３】
デマンドアサインＴＤＭＡ通信は、伝送路を時間的に分割して伝送用のタイムスロットを構成し、タイムスロットの各々を複数の端末に割り当てる通信方式として広く知られている。この通信方式では、伝送路の基本周期であるＴＤＭＡフレームが多数のタイムスロットに時間的に分割されており、各端末がこれらのタイムスロットのいずれかを用いて相手端末へ情報を伝送する。相手端末は、多数のタイムスロットの中から自分宛てのタイムスロットを選択して情報を受信する。
【０００４】
ＴＤＭＡ通信では、複数の端末が同一のタイムスロットを同時に使用した場合、複数の信号が互いに衝突して正しい伝送ができなくなる。このため、いずれか一つの端末が使用中のタイムスロットは、他の端末が使用しないようにする必要がある。デマンドアサインＴＤＭＡ通信では、この対策として、個々の端末に発呼の都度、空きスロットを選択して割り当てる（例えば、特許文献１参照）。
【０００５】
図２２は、従来例の、デマンドアサインＴＤＭＡ通信を利用したＬＡＮシステムの構成ブロック図である。
【０００６】
図２２のＬＡＮシステムは、端末２１１１〜２１１ｎ、送信権管理装置２１２、端末２１１１〜２１１ｎと送信権管理装置２１２を接続する単一の周波数帯域を使用する同軸伝送路２１３で構成されている。
【０００７】
端末２１１１〜２１１ｎは、それぞれ、同軸伝送路２１３から他の端末２１１１〜２１１ｎや送信権管理装置２１２の信号を受信する受信部２１４１、同軸伝送路２１３へ他の端末２１１１〜２１１ｎや送信権管理装置２１２への信号を送信する送信部２１４２、送信先情報と送信元情報から送信要求情報を生成する送信要求生成部２１４３、受信部２１４１で受信した送信権情報により伝送情報の送受信を制御する送受信伝送制御部２１４４を備えている。
【０００８】
送信権管理装置２１２は、同軸伝送路２１３から各端末２１１１〜２１１ｎの信号を受信する受信部２１５１、同軸伝送路２１３へ各端末２１１１〜２１１ｎへの信号を送信する送信部２１５２、受信部２１５１で受信した信号から端末２１１１〜２１１ｎの送信要求情報を抽出し、送信先の端末情報と送信元の端末情報から送信権割当を処理する送信権割当処理部２１５３、送信権割当処理部２１５３で割当てられた送信権から送信権を要求してきた端末２１１１〜２１１ｎへの送信権情報を生成する送信権情報生成部２１５４を備えている。
【０００９】
図２３は、図２２に示すＬＡＮシステムのタイムフレームである。
【００１０】
タイムフレームは、端末が送信要求を送信する送信要求期間２２１、送信権管理装置で割当てた送信権情報を送信する送信権通知期間２２２、端末が情報を伝送する情報伝送期間２２３の各フレームで構成される。１つの端末に割当てられた他の端末との情報伝送期間が１つのフレームを構成しており、情報伝送期間２２３は、各端末におけるこの情報伝送期間を示す複数のフレームで構成されている。ここでは、端末２１１１に割当てられた端末２１１１と端末２１１２間の情報伝送期間を示すフレームを２２４とする。
【００１１】
図２４は、図２２に示すＬＡＮシステムの送信要求情報の構成である。
【００１２】
送信要求情報は、送信先端末情報２３１（端末ＩＤ等）と、送信元端末情報２３２（端末ＩＤ等）で構成されている。
【００１３】
図２５は、図２２に示すＬＡＮシステムの送信権情報の構成である。
【００１４】
送信権情報は、各端末間ごとの、割当てられた送信権の送信先端末情報２４１（端末ＩＤ等）、割当てられた送信権の送信元端末情報２４２（端末ＩＤ等）、割当てられた送信期間情報２４３の複数の組み合わせで構成されている。
【００１５】
次に、図２２に示すＬＡＮシステムで、端末２１１１から端末２１１２へ伝送を行う場合の、端末２１１１〜２１１ｎと送信権管理装置２１２における動作について説明する。
【００１６】
端末２１１１は、送信要求生成部２１４３で、送信先である端末２１１２の送信先端末情報２３１（端末ＩＤ等）と、送信元である自端末２１１１の送信元端末情報２３２（端末ＩＤ等）から送信要求情報を生成する。そして、送信要求期間２２１に、送信部２１４２は、送信要求情報を、同軸伝送路２１３を通して送信権管理装置２１２へ送信する。
【００１７】
送信権管理装置２１２は、受信部２１５１で、同軸伝送路２１３からの伝送情報を受信する。そして、送信権割当処理部２１５３で、送信要求期間２２１に受信した伝送情報から送信要求情報を抽出し、送信先端末情報２３１（この場合は端末２１１２）と送信元端末情報２３２（この場合は端末２１１１）から端末２１１１への送信権の割当処理を行う。送信権割当処理部２１５３は、同様に、他の各端末間（端末２１１１〜２１１ｎと自端末以外の端末２１１１〜２１１ｎ間）の送信権の割当処理も行なう。
【００１８】
そして、送信権情報生成部２１５４において、送信権割当処理部２１５３で割当てられた送信権から、送信先端末情報２４１と送信元端末情報２４２と送信期間情報２４３とで構成される端末２１１１〜２１１ｎへの送信権情報（図２５参照）を生成する。そして、送信部２１５２は、送信権通知期間２２２に、この送信権情報を、同軸伝送路２１３を通して端末２１１１〜２１１ｎへ送信する。
【００１９】
端末２１１１は、送信権通知期間２２２に、受信部２１４１で、同軸伝送路２１３からの送信権情報を受信する。そして、送信先端末情報２４１と送信元端末情報２４２と送信期間情報２４３で割当てられた、情報伝送期間２２３の内の端末２１１１と端末２１１２間の情報伝送期間２２４に、送信部２１４２が同軸伝送路２１３を通して端末２１１２へ伝送情報を送信するように、送受信伝送制御部２１４４が制御する。
【００２０】
一方、端末２１１２は、送信権通知期間２２２に、受信部２１４１で、同軸伝送路２１３からの送信権情報を受信する。そして、送信先端末情報２４１と送信元端末情報２４２と送信期間情報２４３で割当てられた情報伝送期間２２３の内の端末２１１１と端末２１１２間の情報伝送期間２２４に、受信部２１４１が端末２１１１からの伝送情報を受信するように、送受信伝送制御部２１４４が制御する。
【００２１】
このようにして、端末２１１１〜２１１ｎが送信要求を送信権管理装置２１２に送信し、送信権管理装置２１２が送信権の割当を行うことにより、各端末間での情報の伝送が行える。
【特許文献１】特開平２−１８３６４４号公報
【発明の開示】
【発明が解決しようとする課題】
【００２２】
しかしながら、上記した従来の伝送制御方法では、端末間ごとに伝送路の状態が異なる場合には、システム全体として効率的な伝送が行えない。例えば、伝送路の状態が良くて伝送速度の速い端末間と、伝送路の状態が悪くて伝送速度の遅い端末間で、同じ容量のデータを同時に送信開始させる場合を考えると、伝送速度の速い端末間に割り当てられた時間のうちの、データ転送が終了した後の時間は通信に使用されないため、システム全体としては、その通信に使用されない時間が無駄になってしまう。
【００２３】
特に、分配器を含んで構成された同軸ケーブルによるネットワークの場合は、分配器を介することによりその減衰量が非常に大きいため、端末間ごとの伝送路の状態も大きく異なる。したがって、端末間ごとの伝送路の状態の違いによる影響が大きく、伝送路の状態を考慮せずに処理していたのでは、システム全体として伝送効率が大きく低下してしまう。
【００２４】
一般家庭には、通常、テレビを見るための同軸ケーブルのネットワークが備えられている。このネットワークを使用できれば、容易にかつ安価にネットワーク環境を構築することが可能となる。伝送路の状態を考慮して通信を行うようにすれば、この一般家庭に備えられている同軸ケーブルのネットワークを端末間の伝送のためのネットワークとして使用することが可能となる。
【００２５】
本発明は、上記従来の課題を解決するもので、端末間ごとの伝送路の状態が異なっていても、伝送システム全体として伝送効率の高い通信が行える、伝送システム、伝送方法、端末および送信権管理装置を提供することを目的とする。
【課題を解決するための手段】
【００２６】
上述した課題を解決するために、第１の本発明は、
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムにおいて、
前記複数の端末のそれぞれは、
それぞれの他の端末との間の伝送路情報を取得する伝送路情報取得手段と、
取得した前記伝送路情報を、前記送信権管理装置に送信する伝送路情報送信手段とを有し、
前記送信権管理装置は、
前記複数のそれぞれの端末からの前記伝送路情報を受信する伝送路情報受信手段と、
前記伝送路情報を考慮して、前記各端末間で信号を送受信する時間帯を割り当てる送信権割当処理手段と、
前記時間帯の割り当て結果を前記複数のそれぞれの端末に送信する送信権情報送信手段とを有する、伝送システムである。
【００２７】
第２の本発明は、
前記伝送路情報は、前記他の端末と通信する際の伝送条件と、それに対する伝送路状態に関する情報である、第１の本発明の伝送システムである。
【００２８】
第３の本発明は、
前記伝送条件が複数種類の場合には、前記送信権管理装置は、前記時間帯を割り当てるとともに伝送条件も決定する、第２の本発明の伝送システムである。
【００２９】
第４の本発明は、
前記伝送条件とは、周波数帯および／または、変調方式と伝送帯域幅である、第３の本発明の伝送システムである。
【００３０】
第５の本発明は、
前記伝送路状態とは、伝送速度および／または伝送エラー率である、第２の本発明の伝送システムである。
【００３１】
第６の本発明は、
前記伝送路状態とは、伝送速度であり、
前記送信権情報処理手段は、前記伝送速度を考慮して、伝送速度の遅い端末間の通信に、送受信する時間帯を多く割り当てる、第２の本発明の伝送システムである。
【００３２】
第７の本発明は、
前記複数の端末のそれぞれは、前記伝送路情報の他に、送信先の端末に送信する伝送データの容量も送信し、
前記送信権管理装置は、さらに、前記容量も考慮して前記時間帯を割り当てる、第１の本発明の伝送システムである。
【００３３】
第８の本発明は、
前記伝送路情報とは、伝送速度であり、
前記送信権情報処理手段は、前記伝送速度および前記容量を考慮し、端末間の前記伝送データの送信の終了が遅い通信に、送受信する時間帯を多く割り当てる、第７の本発明の伝送システムである。
【００３４】
第９の本発明は、
前記伝送路情報とは、送信先の端末に送信する伝送データを前記送信先の端末に送信するために必要な時間である、第１の本発明の伝送システムである。
【００３５】
第１０の本発明は、
前記複数の端末のそれぞれは、一定期間ごとに、他のそれぞれの端末との間の伝送路情報を取得して更新する、第１の本発明の伝送システムである。
【００３６】
第１１の本発明は、
前記複数の端末のそれぞれは、前記他の端末との通信で希望する伝送条件における伝送路情報のみを、前記管理装置に送信する、第３の本発明の伝送システムである。
【００３７】
第１２の本発明は、
前記複数の端末のそれぞれは、前記複数の伝送路情報のそれぞれに対する優先度を付与して送信し、
前記送信権管理装置は、さらに、前記優先度も考慮して、前記時間帯を割り当てるとともに伝送条件も決定する、第３の本発明の伝送システムである。
【００３８】
第１３の本発明は、
前記複数の端末のそれぞれは、特定の端末間の通信に、優先的な使用を希望する周波数帯および／または変調方式と伝送帯域幅に、高い優先度を付与する、第１２の本発明の伝送システムである。
【００３９】
第１４の本発明は、
前記送信権管理装置は、前記伝送路を介して、前記複数の端末のそれぞれに、伝送路状態を更新するように依頼する伝送路情報更新依頼手段をさらに有する、第１の本発明の伝送システムである。
【００４０】
第１５の本発明は、
前記複数の端末のそれぞれは、前記送信権管理装置に通信時間の割り当てを要求する際に、前記伝送路情報を送信する、第１の本発明の伝送システムである。
【００４１】
第１６の本発明は、
前記複数の端末のそれぞれは、前記送信権管理装置に通信時間の割り当てを要求する前に、予め前記伝送路情報を送信しておく、第１の本発明の伝送システムである。
【００４２】
第１７の本発明は、
前記複数の端末のそれぞれは、前記送信権管理装置に通信時間の割り当てを要求する際に、前記伝送路情報を取得する、第１の本発明の伝送システムである。
【００４３】
第１８の本発明は、
前記伝送路は、複数の同軸ケーブルと、一の同軸ケーブルの信号を他の複数の同軸ケーブルの信号に分岐させる分配器とを有する、第１の本発明の伝送システムである。
【００４４】
第１９の本発明は、
信号を送受信する複数の端末と、
前記各端末間で信号を送受信する時間帯を管理し割り当てる送信権管理装置と、
前記複数の端末および前記送信権管理装置のそれぞれを互いに通信させる伝送路とを備える伝送システムの伝送方法において、
前記複数の端末は、
他のそれぞれの端末との間の伝送路情報を取得するステップと、
取得した前記伝送路情報を、前記送信権管理装置に送信するステップとを有し、
前記送信権管理装置は、
前記複数のそれぞれの端末からの前記伝送路情報を受信するステップと、
前記伝送路情報を考慮して、前記各端末間で信号を送受信する時間帯を割り当てるステップと、
前記時間帯の割り当て結果を前記複数のそれぞれの端末に送信するステップとを有する、伝送方法である。
【００４５】
第２０の本発明は、
第１の本発明の伝送システムの複数の端末のそれぞれの、
それぞれの他の端末との間の伝送路情報を取得する前記伝送路情報取得手段、
および、取得した前記伝送路情報を、前記送信権管理装置に送信する前記伝送路情報送信手段、としてコンピュータを機能させるためのプログラムである。
【００４６】
第２１の本発明は、
第２０の本発明のプログラムを担持した記録媒体であって、コンピュータで利用可能な記録媒体である。
【００４７】
第２２の本発明は、
第１の本発明の伝送システムの送信権管理装置の、
前記複数のそれぞれの端末からの前記伝送路情報を受信する前記伝送路情報受信手段、
前記伝送路情報を考慮して、前記各端末間で信号を送受信する時間帯を割り当てる前記送信権割当処理手段、
前記時間帯の割り当て結果を前記複数のそれぞれの端末に送信する前記送信権情報送信手段、としてコンピュータを機能させるためのプログラムである。
【００４８】
第２３の本発明は、
第２２の本発明のプログラムを担持した記録媒体であって、コンピュータで利用可能な記録媒体である。
【００４９】
第２４の本発明は、
第１の本発明の伝送システムにおける、
それぞれの他の端末との間の伝送路情報を取得する伝送路情報取得手段と、
取得した前記伝送路情報を、送信権管理装置に送信する伝送路情報送信手段とを備えた端末である。
【００５０】
第２５の本発明は、
第１の本発明の伝送システムにおける、
複数のそれぞれの端末からの伝送路情報を受信する伝送路情報受信手段と、
前記伝送路情報を考慮して、前記各端末間で信号を送受信する時間帯を割り当てる送信権割当処理手段と、
前記時間帯の割り当て結果を前記複数のそれぞれの端末に送信する送信権情報送信手段とを備えた送信権管理装置である。
【発明の効果】
【００５１】
本発明により、端末間ごとの伝送路の状態が異なっていても、伝送システム全体として伝送効率の高い通信が行える、伝送システム、伝送方法、端末および送信権管理装置を提供できる。
【発明を実施するための最良の形態】
【００５２】
以下、本発明の実施の形態を、図面を参照しながら説明する。
【００５３】
まず、本発明の伝送システムの理解を容易にするために、本発明の特徴について説明する。図１は、本発明の特徴を説明するための、伝送システムの概要ブロック図である。
【００５４】
図１に示す伝送システムは、複数の端末３１０〜３１ｎと送信権管理装置３２０が、伝送路３４０に接続されている。各端末３１０〜３１ｎは、他の端末３１０〜３１ｎとの通信のための時間を送信権管理装置３２０に要求し、送信権管理装置３２０は、各端末間の通信のための時間帯の割り当てをし、その割り当てた時間帯（送信権）を各端末３１０〜３１ｎに通知する。そして、各端末３１０〜３１ｎは、その割り当てられた時間帯に他の端末との通信を行う。
【００５５】
以上の構成および動作は、一般的なデマンドアサインＴＤＭＡ通信を行う伝送システムの構成および動作であるが、本発明の伝送システムは、それぞれの端末３１０〜３１ｎおよび送信権管理装置３２０が、以下の特徴的な手段を備えている。
【００５６】
特徴的な手段として、端末３１０〜３１ｎは、それぞれ、伝送路情報取得手段３３１および伝送路情報送信手段３３２を備えている。そして、送信権管理装置３２０は、伝送路情報受信手段３２１、送信権割当処理手段３２２および送信権情報送信手段３２３を備えている。
【００５７】
各端末３１０〜３１ｎの伝送路情報取得手段３３１は、伝送路３４０を介した他のそれぞれの端末３１０〜３１ｎ間ごとの伝送路情報を取得する。伝送路情報とは、他の端末３１０〜３１ｎとの間における伝送路の状態や性能を示す情報である。そして、伝送路情報送信手段３３２が、この伝送路情報を送信権管理装置３２０に送信する。
【００５８】
送信権管理装置３２０では、伝送路情報受信手段３２１が、各端末３１０〜３１ｎから送信されてきた伝送路情報を受信する。そして、その各端末３１０〜３１ｎからの伝送路情報に基づいて、各端末間の通信のための時間帯の割り当てを行う。そして、送信権情報送信手段３２３が、その割り当てられた時間帯の情報を各端末３１０〜３１ｎに送信する。
【００５９】
本発明の伝送システムの特徴は、各端末３１０〜３１ｎが、各端末ごとの伝送路情報を取得し送信権管理装置３２０に送信する点、および、送信権管理装置３２０が、各端末３１０〜３１ｎから受信した伝送路情報に基づいて各端末間の通信のための時間帯の割り当てを行う点である。
【００６０】
以下、本発明の伝送システムの、具体的な実施の形態について説明する。
【００６１】
（実施の形態１）
図２は、本発明の実施の形態１の同軸伝送システムの構成ブロック図である。
【００６２】
本実施の形態１の同軸伝送システムは、端末１１１〜１１ｎ、送信権管理装置１２、端末１１１〜１１ｎと送信権管理装置１２を接続する単一の周波数帯域を使用する同軸伝送路１３で構成されている。なお、端末１１１〜１１ｎとは、２台以上の同じ構成の複数の端末を示すものであり、その台数に特に制限はない。
【００６３】
ここで、同軸伝送路１３には、一般家庭に設けられている、テレビ用に敷設された同軸ケーブルのネットワークを用いている。したがって、端末１１１〜１１ｎ、および送信権管理装置１２は、同軸ケーブルと分配器を介して接続されている。
【００６４】
端末１１１〜１１ｎは、それぞれ、同軸伝送路１３から他の端末１１１〜１１ｎや送信権管理装置１２の信号を受信する受信部１４１、同軸伝送路１３へ他の端末１１１〜１１ｎや送信権管理装置１２への信号を送信する送信部１４２、自端末以外の他の端末１１１〜１１ｎとの間での伝送路状態を検査する伝送路状態検査部１４３、伝送路状態検査部１４３に伝送路状態を検査する指示を行う伝送路状態検査制御部１４４、伝送路状態検査部１４３で検査した伝送路状態の結果情報を保持する伝送路状態保持部１４５、送信先情報と送信元情報と伝送路状態保持部１４５で保持する送信先端末との間の伝送路状態情報とから送信要求情報を生成する送信要求生成部１４６、受信部１４１を利用して送信権情報を取得する割当時間取得部１４８、割当時間取得部１４８で取得した送信権情報に基づいて伝送情報の送受信を制御する送受信伝送制御部１４７を備えている。
【００６５】
なお、伝送路状態検査部１４３、受信部１４１および送信部１４２を合わせたものが、本発明の伝送路情報取得手段の一例である。また、送信要求生成部１４６および送信部１４２を合わせたものが、本発明の伝送路情報送信手段の一例である。また、送信権情報は、本発明の、各端末間で送受信する時間帯の割り当て結果の一例である。また、伝送路状態情報が、本発明の伝送路情報の一例である。
【００６６】
送信権管理装置１２は、同軸伝送路１３から各端末１１１〜１１ｎの信号を受信する受信部１５１、同軸伝送路１３へ各端末１１１〜１１ｎへの信号を送信する送信部１５２、受信部１５１で受信した信号から端末１１１〜１１ｎの送信要求情報を抽出し、送信先の端末情報と送信元の端末情報と送信先端末との間の伝送路状態情報から送信権割当を処理する送信権割当処理部１５３、送信権割当処理部１５３で割当てられた送信権から送信権を要求してきた端末１１１〜１１ｎへの送信権情報を生成する送信権情報生成部１５４を備えている。
【００６７】
なお、受信部１５１が、本発明の伝送路情報受信手段の一例である。また、送信権割当処理部１５３が、本発明の送信権割当処理手段の一例である。また、送信権情報生成部１５４および送信部１５２を合わせたものが、本発明の送信権情報送信手段の一例である。
【００６８】
なお、伝送路状態検査制御部１４４から伝送路状態検査部１４３に伝送路状態を検査させる指示は、一定間隔で繰り返して指示しても良く、また、不定期に指示しても良い。
【００６９】
図３は、本実施の形態１の同軸伝送システムのタイムフレームである。
【００７０】
本実施の形態１のタイムフレームは、端末間での伝送路状態を検査する伝送路検査期間２１、端末が送信要求を送信する送信要求期間２２、送信権管理装置１２で割当てた送信権情報を送信する送信権通知期間２３、端末が情報を伝送する情報伝送期間２４の各フレームで構成される。１つの端末に割当てられた他の端末との情報伝送期間が１つのフレームを構成しており、情報伝送期間２４は、各端末におけるこの情報伝送期間を示す複数のフレームで構成されている。情報伝送期間２４の内の２５の部分のフレームが、端末１１１に割当てられた端末１１１と端末１１２間の情報伝送期間を示すフレームである。
【００７１】
図４は、本実施の形態１の同軸伝送システムの送信要求情報の構成である。
【００７２】
送信要求情報は、送信先端末情報３１（端末ＩＤ等）、送信元端末情報３２（端末ＩＤ等）、送信元と送信先の端末間伝送路情報３３で構成されている。
【００７３】
図５は、本実施の形態１の同軸伝送システムの送信権情報の構成である。
【００７４】
送信権情報は、各端末間ごとの、割当てられた送信権の送信先端末情報４１（端末ＩＤ等）、割当てられた送信権の送信元端末情報４２（端末ＩＤ等）、割当てられた送信期間情報４３の、複数の組み合わせで構成されている。
【００７５】
次に、本実施の形態１の同軸伝送システムで、端末１１１から端末１１２へ伝送を行う場合の、端末１１１〜１１ｎと送信権管理装置１２における動作について説明する。
【００７６】
同軸ケーブルによるネットワークは、分配器を介することにより、その減衰量は非常に大きくなる。そして、減衰量の大きな端末間では、変調方式の違いにより伝送品質が異なり、端末間によって伝送品質のよい条件が異なる。同様に、周波数帯の違いによって伝送品質が異なり、端末間によって伝送品質のよい周波数帯の条件は異なり、必ずしも低い周波数帯ほど伝送品質がよくなるとは限らない。
【００７７】
したがって、各端末間での使用周波数帯の伝送路状態が異なることによって、送信権管理装置１２が割当てた送信可能な期間で送信できる伝送量が増減するため、情報の伝送が遅延したり、最悪の場合は伝送が行えなくなってしまう。また、送信権管理装置１２が各端末に効率的に送信期間を割り当てた場合でも、伝送路の状況によって、実際は効率的な通信ができなくなってしまう。
【００７８】
そこで、本実施の形態１の同軸伝送システムでは、端末間ごとに、伝送路状態を検査して伝送路情報を送信権管理装置１２に送信し、送信権管理装置１２が、その伝送路情報を考慮して、各端末間の通信する時間帯を割り当てることにより、システム全体として伝送効率の高い伝送を行えるようにしている。
【００７９】
端末１１１は、まず、端末１１２〜１１ｎとの間での伝送路状態情報を保持するために伝送路状態の検査を行う。同様に、端末１１２〜１１ｎも、他の端末との間での伝送路状態情報を保持するために伝送路状態の検査を行う。
【００８０】
端末１１１の伝送路状態検査部１４３は、伝送路状態検査制御部１４４の指示により、伝送路検査期間２１に、変調効率（変調方式と伝送帯域幅）が最も高い検査情報を、同軸伝送路１３を通して端末１１２〜１１ｎへ、送信部１４２から送信させる。
【００８１】
一方、端末１１２〜１１ｎでは、受信部１４１で、伝送路検査期間２１に同軸伝送路１３から検査情報を受信する。そして、伝送路状態検査部１４３で、受信した情報に誤りがないかの検査を行い、情報に誤りがない場合は「検査完了」情報を、情報に誤りがある場合は「検査未完了」情報を検査結果情報として、送信部１４２から端末１１１へ送信する。
【００８２】
次に、端末１１１は、受信部１４１で、端末１１２〜１１ｎからの検査結果情報を受信する。そして、検査結果情報が「検査完了」の場合、伝送路状態保持部１４５に検査が完了した時点の変調効率を伝送路状態情報として保持する。検査結果情報が「検査未完了」の場合、伝送路状態検査部１４３は、伝送路状態検査制御部１４４の指示により、変調効率を下げた検査情報を送信部１４２から端末１１２〜１１ｎへ送信する。「検査完了」の検査結果情報を受信するまで、繰り返しこの検査動作を行う。
【００８３】
なお、上記の検査方法は一例であり、適切な変調効率が検出できれば方法は問わない。また、上記の検査方法では、伝送路情報を変調効率としたが、単位時間当たりの伝送速度としても良く、伝送路状態が表現できる情報であれば良い。なお、変調方式と伝送帯域幅の組み合わせは、本発明の伝送条件の一例である。
【００８４】
次に、端末１１１は、送信要求生成部１４６で、送信先である端末１１２の送信先端末情報３１（端末ＩＤ等）と、送信元である自端末１１１の送信元端末情報３２（端末ＩＤ等）と、伝送路状態保持部１４５で保持されている端末１１２との間の伝送路情報３３とから送信要求情報を生成する。ここで、伝送路情報３３には、伝送路状態保持部１４５で保持されている端末１１２との間の伝送路状態に関する情報、つまり上記の検査によって得られた変調効率を用いる。そして、送信部１４２は、送信要求期間２２に、同軸伝送路１３を通して送信権管理装置１２へ、この送信要求情報を送信する。
【００８５】
送信権管理装置１２は、受信部１５１で、同軸伝送路１３から伝送情報を受信する。そして、送信権割当処理部１５３は、送信要求期間２２に受信した伝送情報から送信要求情報を抽出し、送信先端末情報３１（この場合は端末１１２）と送信元端末情報３２（この場合は端末１１１）と伝送路情報３３から、端末１１１〜１１ｎ（この場合は端末１１１）への送信権の割当処理を行う。そして、送信権情報生成部１５４で、送信権割当処理部１５３で割当てられた送信権から、送信先端末情報４１と送信元端末情報４２と送信期間情報４３とで構成される端末１１１〜１１ｎへの送信権情報（図５参照）を生成する。送信部１５２は、送信権通知期間２３に、同軸伝送路１３を通して端末１１１〜１１ｎへ、この送信権情報を送信する。
【００８６】
ここで、送信権割当処理部１５３は、伝送路情報３３を考慮して、端末１１１〜１１ｎへの送信権の割当処理、すなわち各端末間の通信の時間帯の割り当ての処理を行なう。例えば、伝送路情報３３が伝送速度である場合に、伝送速度の遅い端末間の通信に、伝送速度の速い端末間の通信よりも多くの時間帯の割り当てを行う。
【００８７】
従来のＴＤＭＡ通信を行う伝送システムでは、端末間ごとの伝送速度に関係なく、端末間の通信の時間帯の割り当てを行っていたため、伝送速度の速い通信間に割り当てられた時間のうちの、データ転送後の時間が通信に使用されず無駄になっってしまう。本実施の形態１の同軸伝送システムは、この通信に使用されず無駄になってしまう時間を伝送速度の遅い通信のための時間として割り当てることにより、システム全体としての伝送効率を上げることができる。
【００８８】
例えば、端末１１１−１１２間の伝送速度が１００Ｍｂｐｓ、端末１１３−１１４間の伝送速度が５０Ｍｂｐｓとした場合、従来のＴＤＭＡ通信を行う伝送システムでは、これらの２つの通信に対して同じ時間を割り当てていたのに対し、本実施の形態１の同軸伝送システムでは、端末１１１−１１２間の通信に割り当てる時間の２倍の時間を、端末１１３−１１４間の通信に割り当てるようにする。
【００８９】
端末１１１は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、同軸伝送路１３を通して端末１１２へ、送信部１４２から伝送情報を送信するように制御する。
【００９０】
端末１１２は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、受信部１４１で端末１１１からの伝送情報を受信するように制御する。
【００９１】
なお、本実施の形態１では、伝送路状態検査部１４３に伝送路状態を検査する指示を行う伝送路状態検査制御部１４４を端末１１１〜１１ｎに設けることとしたが、送信権管理装置１２に設けることとし、同軸伝送路１３を使用して、端末１１１〜１１ｎの伝送路状態検査部１４３に伝送路状態を検査する指示を出すようにしても良い。この場合の、送信権管理装置１２に配置される伝送路状態検査制御部は、本発明の伝送路情報更新依頼手段の一例である。
【００９２】
また、各端末１１１〜１１ｎは、送信要求情報を送信権管理装置１２に送信する際に、送信要求する送信先の端末との間の伝送路状態を伝送路状態検査部１４３に検査させ、その検査結果を送信要求情報の端末間伝送路情報３３とし、送信要求情報を送信するようにしてもよい。
【００９３】
以上のように、本実施の形態１の同軸伝送システムでは、端末間で使用周波数帯の伝送路状態を検査し、検査結果を端末が保持し、送信要求に付加し、送信権管理装置に送信し、送信権管理装置がその検査結果により端末間の伝送路状態を考慮し、送信権の割当を行うことにより、各端末間の伝送路状態に対応した伝送効率の高い通信が行える。
【００９４】
さらに、端末１１１〜１１ｎの送信要求生成部１４６で生成する送信要求情報に端末が要求する伝送容量を付加し、送信権管理装置１２に送信し、送信権管理装置１２の送信権割当処理部１５３で送信権割当の処理を行う場合に、この端末の要求伝送容量を考慮し、割当期間を決定させることにより、伝送効率のより高い通信が行える。なお、ここで送信要求情報に端末が要求する伝送容量が、本発明の、送信先の端末に送信する伝送データの容量の一例である。
【００９５】
ここで、送信権割当処理部１５３が、端末が要求する伝送容量も考慮するとは、例えば、伝送速度と伝送容量から、その端末間で伝送データの送信が終了する時間を算出し、各端末間ごとの伝送データの送信が同じ時間に終わるように、各端末間の通信に時間を割り当てる。このように通信時間帯の割り当てを行うことにより、システム全体として、より効率的な伝送を行わせるようにすることができる。
【００９６】
（実施の形態２）
図６は、本発明の実施の形態２の同軸伝送システムの構成ブロック図である。なお、実施の形態１の同軸伝送システムと同じ機能を有する構成の部分には同一の番号を付し、その説明を省略する。
【００９７】
端末１１１〜１１ｎは、それぞれ、実施の形態１の端末の構成に加えて、送信する伝送データの容量と伝送路状態保持部１４５で保持する送信先端末との間の伝送路状態情報から、送信要求期間情報を生成する送信期間情報生成部５１１を備えている。そして、送信要求生成部５１２は、送信先情報と送信元情報と送信期間情報生成部５１１で生成された送信要求期間情報から、送信要求情報を生成するようになっている。なお、ここで生成された送信要求期間情報は、本発明の、送信先の端末に送信する送信データを送信するために必要な時間の一例である。
【００９８】
また、送信権管理装置１２は、送信権割当処理部５２１が、受信部１５１で受信した信号から端末１１１〜１１ｎからの送信要求情報を抽出し、送信元情報と送信先情報と送信要求期間情報から送信権の割当を処理するようになっている。
【００９９】
本実施の形態２の同軸伝送システムのタイムフレームは、図３に示す、実施の形態１のタイムフレームと同一構成である。
【０１００】
図７は、本実施の形態２の同軸伝送システムの送信要求情報の構成である。なお、実施の形態１の送信要求情報と同じ内容の部分には同一の番号を付し、その説明を省略する。
【０１０１】
図７の送信要求情報の６１は、送信期間情報生成部５１１が、送信する伝送データの容量と伝送路状態情報から生成する送信要求期間情報である。
【０１０２】
本実施の形態２の同軸伝送システムの送信権情報は、図５に示す、実施の形態１の送信権情報と同一構成である。
【０１０３】
次に、本実施の形態２の同軸伝送システムで、端末１１１から端末１１２へ伝送を行う場合の、端末１１１〜１１ｎと送信権管理装置１２における動作について説明する。なお、実施の形態１の場合と同じ動作の部分は、その説明を省略する。
【０１０４】
端末１１１は、まず、端末１１２〜１１ｎとの間での伝送路情報を保持するために伝送路状態の検査を行う。同様に、端末１１２〜１１ｎも、他の端末との間での伝送路情報を保持するために伝送路状態の検査を行う。
【０１０５】
次に、端末１１１の送信期間情報生成部５１１は、端末１１２に送信する伝送データの容量と、伝送路状態保持部１４５で保持されている送信先の端末１１２との間の伝送路状態情報から、送信要求期間情報を生成する。送信要求生成部５１２は、送信先である端末１１２の送信先端末情報３１と、送信元である自端末１１１の送信元端末情報３２と、送信期間情報生成部５１１で生成された送信要求期間情報６１から、図７に示す送信要求情報を生成する。そして、送信部１４２は、送信要求期間２２に、同軸伝送路１３を通して送信権管理装置１２へ、この送信要求情報を送信する。
【０１０６】
送信権管理装置１２は、受信部１５１で、同軸伝送路１３から伝送情報を受信する。そして、送信権割当処理部５２１は、送信要求期間２２に受信した伝送情報から送信要求情報を抽出し、送信先端末情報３１（この場合は端末１１２）と送信元端末情報３２（この場合は端末１１１）と送信要求期間情報６１から、端末１１１〜１１ｎ（この場合は端末１１１）への送信権の割当処理を行う。そして、送信権情報生成部１５４で、送信権割当処理部５２１で割当てられた送信権から、送信先端末情報４１と送信元端末情報４２と送信期間情報４３とで構成される端末１１１〜１１ｎへの送信権情報（図５参照）を生成する。送信部１５２は、送信権通知期間２３に、同軸伝送路１３を通して端末１１１〜１１ｎへ、この送信権情報を送信する。
【０１０７】
ここで、送信権割当処理部５２１は、送信要求期間情報６１を考慮して、端末１１１〜１１ｎへの送信権の割当処理、すなわち各端末間の通信の時間帯の割り当ての処理を行なう。例えば、送信要求期間の長い端末間の通信に、他の端末間よりも多くの時間帯の割り当てを行う。
【０１０８】
例えば、端末１１１−１１２間の送信要求期間が５秒であり、端末１１３−１１４間の送信要求期間が１０秒とした場合、従来のＴＤＭＡ通信を行う伝送システムでは、これらの２つの通信に対して同じ時間を割り当てていたのに対し、本実施の形態２の同軸伝送システムでは、端末１１１−１１２間の通信に割り当てる時間の２倍の時間を、端末１１３−１１４間の通信に割り当てるようにする。このようにすることで、システム全体としての伝送効率を上げ、端末１１３−１１４間の伝送データの通信を早く終わらせることができる。
【０１０９】
端末１１１は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、同軸伝送路１３を通して端末１１２へ、送信部１４２から伝送情報を送信するように制御する。
【０１１０】
端末１１２は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、受信部１４１で端末１１１からの伝送情報を受信するように制御する。
【０１１１】
以上のように、本実施の形態２の同軸伝送システムでは、端末間で使用周波数帯の伝送路状態を検査し、検査結果を端末が保持し、その検査結果と伝送データの容量から送信期間情報を生成し、送信権管理装置に送信する。そして、送信権管理装置の送信権割当処理部では、送信権割当の処理を行う際に、端末間の伝送路状態の検査結果から生成された送信要求期間を考慮し、割当期間を決定することにより、送信権割当処理の最適化を図り、伝送効率の高い通信が行える。
【０１１２】
（実施の形態３）
図８は、本発明の実施の形態３の同軸伝送システムの構成ブロック図である。なお、実施の形態１の同軸伝送システムと同じ機能を有する構成の部分には同一の番号を付し、その説明を省略する。
【０１１３】
端末１１１〜１１ｎは、それぞれ、実施の形態１の端末の構成の伝送路状態保持部１４５の代わりに、伝送路状態検査部１４３で検査した伝送路状態から伝送路情報を生成する伝送路情報生成部７１１を備えている。そして、送信要求生成部７１２は、送信元情報と送信先情報から送信要求情報を生成するようになっている。
【０１１４】
また、送信権管理装置１２は、実施の形態１の送信権管理装置の構成に加えて、端末１１１〜１１ｎから送信されてきた他の端末との間の伝送路情報を保持する伝送路状態保持部７２１を備えている。そして、送信権割当処理部７２２は、送信先端末情報と送信元端末情報と伝送路状態保持部７２１で保持されている端末間の伝送路情報から、送信権の割当を処理するようになっている。
【０１１５】
図９は、本実施の形態３の同軸伝送システムのタイムフレームである。なお、実施の形態１のタイムフレームと同じフレーム部分には同一の番号を付し、その説明を省略する。
【０１１６】
図９の８１のフレームは、端末１１１〜１１ｎで生成された他の端末との間の伝送路情報を含む端末間伝送路情報を伝送する伝送路情報伝送期間である。
【０１１７】
図１０は、本実施の形態３の同軸伝送システムの端末間伝送路情報の構成である。
【０１１８】
伝送路情報は、送信先端末情報９１（端末ＩＤ等）、送信元端末情報９２（端末ＩＤ
等）、送信元と送信先の端末間の伝送路情報９３で構成されている。
【０１１９】
図１１は、本実施の形態３の同軸伝送システムの送信要求情報の構成である。
【０１２０】
送信要求情報は、送信先端末情報３１（端末ＩＤ等）と送信元端末情報３２（端末ＩＤ等）で構成されている。
【０１２１】
本実施の形態３の同軸伝送システムの送信権情報は、図５に示す、実施の形態１の送信権情報と同一構成である。
【０１２２】
次に、本実施の形態３の同軸伝送システムで、端末１１１から端末１１２へ伝送を行う場合の、端末１１１〜１１ｎと送信権管理装置１２における動作について説明する。なお、実施の形態１の場合と同じ動作の部分は、その説明を省略する。
【０１２３】
端末１１１は、まず、端末１１２〜１１ｎとの間での伝送路状態情報を保持するために伝送路状態の検査を行う。同様に、端末１１２〜１１ｎも、他の端末との間での伝送路状態情報を保持するために伝送路状態の検査を行う。
【０１２４】
そして、端末１１１〜１１ｎの伝送路情報生成部７１１は、伝送路状態検査部１４３での検査結果を伝送路状態検査制御部１４４から取得し、送信先端末情報９１と、送信元端末情報９２と、送信元と送信先の端末間の伝送路情報９３とで構成される端末間伝送路情報を生成する。そして、送信部１４２は、伝送路情報伝送期間８１に、同軸伝送路１３を通して送信権管理装置１２へ、伝送路情報生成部７１１が生成した端末間伝送路情報を送信する。
【０１２５】
送信権管理装置１２は、受信部１５１で、伝送路情報伝送期間８１に、同軸伝送路１３から伝送情報を受信する。そして、伝送路状態保持部７２１が、伝送路情報伝送期間８１に受信した伝送情報から端末間伝送路情報を抽出し、保持する。
【０１２６】
次に、端末１１１は、送信要求生成部７１２で、送信先である端末１１２の送信先端末情報３１と、送信元である自端末１１１の送信元端末情報３２から送信要求情報を生成する。そして、送信部１４２が、送信要求期間２２に、同軸伝送路１３を通して送信権管理装置１２へ、この送信要求情報を送信する。
【０１２７】
送信権管理装置１２は、受信部１５１で、送信要求期間２２に、同軸伝送路１３から伝送情報を受信する。そして、送信権割当処理部７２２は、送信要求期間２２に受信した伝送情報から送信要求情報を抽出し、送信先端末情報３１（この場合は端末１１２）と送信元端末情報３２（この場合は端末１１１）と伝送路情報保持部７２１で保持されている伝送路情報から、端末１１１〜１１ｎ（この場合は端末１１１）への送信権の割当処理を行う。
【０１２８】
そして、送信権情報生成部１５４で、送信権割当処理部７２２で割当てられた送信権から、送信先端末情報４１と送信元端末情報４２と送信期間情報４３とで構成される端末１１１〜１１ｎへの送信権情報を生成する。そして、送信部１５２は、送信権通知期間２３に、同軸伝送路１３を通して端末１１１〜１１ｎへ、この送信権情報を送信する。
【０１２９】
端末１１１は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、同軸伝送路１３を通して端末１１２へ、送信部１４２から伝送情報を送信するように制御する。
【０１３０】
端末１１２は、割当時間取得部１４８が、受信部１４１を利用して、送信権通知期間２３に同軸伝送路１３から送信権情報を取得する。そして、その送信権情報が送受信伝送制御部１４７に渡され、送受信伝送制御部１４７は、送信先端末情報４１と送信元端末情報４２と送信期間情報４３で割当てられた情報伝送期間２４内の端末１１１と端末１１２間の情報伝送期間２５に、受信部１４１で端末１１１からの伝送情報を受信するように制御する。
【０１３１】
以上のように、本実施の形態３の同軸伝送システムでは、端末間で使用周波数帯の伝送路状態を検査し、検査結果を予め送信権管理装置に送信しておき、その検査結果を送信権管理装置に保持する。そして、端末からの送信要求を受けた際に、端末間の伝送路状態を考慮した送信権割当の処理を行うことができるので、送信要求発生時毎に伝送路状態の情報を付加することなく、送信要求情報の情報量の削減ができ、伝送効率の高い通信が行える。
【０１３２】
（実施の形態４）
図１２は、本発明の実施の形態４の同軸伝送システムの構成ブロック図である。なお、実施の形態１の同軸伝送システムと同じ機能を有する構成の部分には同一の番号を付し、その説明を省略する。
【０１３３】
端末１１１〜１１ｎと送信権管理装置１２を接続する同軸伝送路１１０１は、単一の周波数帯域を使用する実施の形態１の場合の同軸伝送路１３とは異なり、複数の周波数帯域を使用する伝送路である。ここで、同軸伝送路１１０１には、一般家庭に設けられている、テレビ用に敷設された同軸ケーブルのネットワークを用いている。したがって、端末１１１〜１１ｎ、および送信権管理装置１２は、同軸ケーブルと分配器を介して接続されている。
【０１３４】
端末１１１〜１１ｎは、それぞれ、実施の形態１の端末と同じ構成であるが、伝送路状態保持部１１０２１は、伝送路状態検査部１４３で検査させた複数の周波数帯域の伝送路状態情報を保持するようになっている。また、送信要求生成部１１０２２は、送信先の端末情報と送信元の端末情報と伝送路状態保持部１１０２１で保持されている送信先端末との間の複数の伝送路状態情報から、送信要求情報を生成するようになっている。また、送受信伝送制御部２４７は、割当時間取得部１４８で取得される送信権情報に含まれる割当周波数帯に、受信部１４１および送信部１４２の周波数設定を行う周波数設定部１１０２３を備えている。なお、複数の周波数帯域の伝送路状態が、本発明の、複数種類の伝送条件の一例である。
【０１３５】
また、送信権管理装置１２は、送信権割当処理部１１０３１が、受信部１５１で受信した伝送情報から端末１１１〜１１ｎからの送信要求情報を抽出し、送信先の端末情報と送信元の端末情報と送信先端末との間の複数の伝送路情報から、送信権（割当周波数帯域と割当期間）の割当を処理するようになっている。また、送信権情報生成部１１０３２が、送信権割当処理部１１０３１で割当てられた送信権の情報から、送信権を要求した端末１１１〜１１ｎへの送信権情報を生成するようになっている。
【０１３６】
本実施の形態４の同軸伝送システムのタイムフレームは、図３に示す、実施の形態１のタイムフレームと同一構成である。
【０１３７】
図１３は、本実施の形態４の同軸伝送システムの送信要求情報の構成である。なお、実施の形態１の送信要求情報と同じ内容の部分には同一の番号を付し、その説明を省略する。
【０１３８】
送信要求情報の１２０１〜１２０ｍは、送信元と送信先の端末間の周波数帯域毎の、それぞれの伝送路情報である。
【０１３９】
図１４は、本実施の形態４の同軸伝送システムの送信権情報である。なお、実施の形態１の送信権情報と同じ内容の部分には同一の番号を付し、その説明を省略する。
【０１４０】
送信権情報の１３０１は、割当てられた周波数帯域情報である。
【０１４１】
次に、本実施の形態４の同軸伝送システムで、端末１１１から端末１１２へ伝送を行う場合の、端末１１１〜１１ｎと送信権管理装置１２における動作について説明する。なお、実施の形態１の場合と同じ動作の部分は、その説明を省略する。
【０１４２】
端末１１１は、まず、端末１１２〜１１ｎとの間での同軸伝送路１１０１における周波数帯域毎の伝送路状態情報を保持するために、周波数帯域毎の伝送路状態の検査を行う。同様に、端末１１２〜１１ｎも、他の端末との間での同軸伝送路１１０１における周波数帯域毎の伝送路状態情報を保持するために伝送路状態の検査を行う。
【０１４３】
次に、端末１１１の送信要求生成部１１０２２は、送信先である端末１１２の送信先端末情報３１と送信元である自端末１１１の送信元端末情報３２と伝送路状態保持部１１０２１で保持される端末１１２との間の周波数帯域毎の伝送路情報１２０１〜１２０ｍから、図１３に示すような送信要求情報を生成する。そして、送信部１４２は、送信要求期間２２に、同軸伝送路１１０１を通して送信権管理装置１２へ、この送信要求情報を送信する。
【０１４４】
送信権管理装置１２は、受信部１５１で、同軸伝送路１１０１から伝送情報を受信する。そして、送信権割当処理部１１０３１は、送信要求期間２２に受信した伝送情報から送信要求情報を抽出し、送信先端末情報３１（この場合は端末１１２）と送信元端末情報３２（この場合は端末１１１）と伝送路情報１２０１〜１２０ｍから、端末１１１〜１１ｎ（この場合は端末１１１）への送信権の割当処理を行う。ここでの割当処理は、端末間の通信に使用する周波数帯域の割り当てと、通信する時間帯の割り当てを行う。
【０１４５】
ここで、送信権割当処理部１１０３１は、各伝送路情報１２０１〜１２０ｍを考慮して、端末１１１〜１１ｎへの送信権の割当処理を行う。
【０１４６】
例えば、ある端末間における伝送速度が、１００〜１５０ＭＨzでは１００Ｍｂｐｓ、２００〜２５０では７５Ｍｂｐｓであった場合、その端末間において使用する周波数帯域は１００〜１５０ＭＨzと決定し、その周波数帯域における伝送速度に基づいて通信する時間帯の割り当て処理を行なう。このようにすることで、システム全体としての伝送効率を上げることができる。
【０１４７】
そして、送信権情報生成部１１０３２は、送信権割当処理部１１０３１で割当てられた送信権から、送信先端末情報４１と送信元端末情報４２と送信期間情報４３と周波数帯域情報１３０１とで構成される端末１１１〜１１ｎへの送信権情報（図１４参照）を生成する。送信部１５２は、送信権通知期間２３に、同軸伝送路１１０１を通して端末１１１〜１１ｎへ、この送信権情報を送信する。
【０１４８】
端末１１１は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が送信されるように、周波数設定部１１０２３に送信部１４２の周波数帯の変更を指示する。そして、送信部１４２の周波数帯の設定が変更され、同軸伝送路１１０１を通して端末１１２へ、周波数設定部１１０２３が設定した周波数帯で伝送情報が送信される。
【０１４９】
端末１１２は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が受信されるように、周波数設定部１１０２３に受信部１４１の周波数帯の変更を指示する。そして、受信部１４１の周波数帯の設定が変更され、同軸伝送路１１０１を通して端末１１１から、周波数設定部１１０２３が設定した周波数帯で伝送情報が受信される。
【０１５０】
以上のように、本実施の形態４の同軸伝送システムでは、端末間で使用周波数帯毎の伝送路状態を検査し、検査結果を端末が使用周波数帯域毎に保持し、伝送路情報として送信権管理装置に送信する。送信権管理装置の送信権割当処理部では、送信権割当の処理を行う際に、端末間の使用周波数帯域毎の伝送路情報を考慮し、割当期間およびその端末間の通信に使用する周波数帯を決定することにより、伝送路状況に対応した伝送効率の高い通信が行える。
【０１５１】
なお、本実施の形態４では、複数の異なる伝送仕様として、複数の使用周波数帯における伝送路状態としたが、複数の異なる変調方式と伝送帯域幅の組み合わせ等の、他の複数の異なる伝送仕様であってもよい。
【０１５２】
さらに、端末１１１〜１１ｎの送信要求生成部１１０２２で生成される送信要求情報に送信する伝送データの容量を付加し、送信権管理装置１２に送信し、送信権管理装置１２の送信権割当処理部１１０３１で送信権割当の処理を行う際に、端末が送信したい伝送データの容量を考慮し、割当期間および割当周波数を決定することにより、伝送効率のより高い通信が行える。
【０１５３】
（実施の形態５）
図１５は、本発明の実施の形態５の同軸伝送システムの構成ブロック図である。なお、実施の形態４の同軸伝送システムと同じ機能を有する構成の部分には同一の番号を付し、その説明を省略する。
【０１５４】
端末１１１〜１１ｎは、それぞれ、実施の形態４の端末の構成に加えて、送信する伝送データの容量と伝送路状態保持部１１０２１で保持される送信先端末との間の周波数帯域毎の伝送路状態情報から、送信要求期間情報を生成する送信期間情報生成部１４０１１を備えている。そして、送信要求生成部１４０１２は、送信先情報と送信元情報と送信期間情報生成部１４０１１で生成された周波数帯域毎の送信要求期間情報から、送信要求情報を生成するようになっている。なお、送信要求期間情報は、本発明の、送信先の端末に送信するために必要な時間の一例である。
【０１５５】
また、送信権管理装置１２は、送信権割当処理部１４０２１が、受信部１５１で受信した信号から端末１１１〜１１ｎからの送信要求情報を抽出し、送信元情報と送信先情報と周波数帯域毎の送信要求期間情報から、送信権の割当を処理するようになっている。
【０１５６】
本実施の形態５の同軸伝送システムのタイムフレームは、図３に示す、実施の形態１のタイムフレームと同一構成である。
【０１５７】
図１６は、本実施の形態５の同軸伝送システムの送信要求情報の構成である。なお、実施の形態４の送信要求情報と同じ内容の部分には同一の番号を付し、その説明を省略する。
【０１５８】
送信要求情報の１５０１〜１５０ｍは、要求する伝送容量と周波数帯域毎の伝送路情報から生成された周波数帯域毎の送信要求期間情報である。
【０１５９】
本実施の形態５の同軸伝送システムの送信権情報は、図１４に示す、実施の形態４の送信権情報と同一構成である。
【０１６０】
次に、本実施の形態５の同軸伝送システムで、端末１１１から端末１１２へ伝送を行う場合の、端末１１１〜１１ｎと送信権管理装置１２における動作について説明する。なお、
実施の形態４の場合と同じ動作の部分は、その説明を省略する。
【０１６１】
端末１１１は、まず、端末１１２〜１１ｎとの間での同軸伝送路１１０１の周波数帯域毎の伝送路状態情報を保持するために周波数帯域毎の伝送路状態の検査を行う。同様に、端末１１２〜１１ｎも他の端末との間での同軸伝送路１１０１の周波数帯域毎の伝送路状態情報を保持するために伝送路状態の検査を行う。
【０１６２】
次に、端末１１１の送信期間情報生成部１４０１１は、要求する伝送データの容量と、伝送路状態保持部１１０２１で保持される送信先の端末１１２との間の周波数帯域毎の伝送路状態情報から送信要求期間情報を生成する。送信要求生成部１４０１２は、送信先である端末１１２の送信先端末情報３１と、送信元である自端末１１１の送信元端末情報３２と、送信期間情報生成部１４０１１で生成された周波数帯域毎の送信要求期間情報１５０１〜１５０ｍから送信要求情報を生成する。そして、送信部１４２は、送信要求期間２２に、同軸伝送路１１０１を通して送信権管理装置１２へ、この送信要求情報を送信する。
【０１６３】
送信権管理装置１２は、受信部１５１で、同軸伝送路１１０１から伝送情報を受信する。そして、送信権割当処理部１４０２１は、送信要求期間２２に受信した伝送情報から送信要求情報を抽出し、送信先端末情報３１（この場合は端末１１２）と送信元端末情報３２（この場合は端末１１１）と周波数帯域毎の送信要求期間情報１５０１〜１５０ｍから、端末１１１〜１１ｎ（この場合は端末１１１）への送信権の割当処理を行う。そして、送信権情報生成部１１０３２は、送信権割当処理部１４０２１で割当てられた送信権から、送信先端末情報４１と、送信元端末情報４２と、送信期間情報４３と、割当てられた周波数帯域情報１３０１とで構成される端末１１１〜１１ｎへの送信権情報（図１４参照）を生成する。送信部１５２は、送信権通知期間２３に、同軸伝送路１１０１を通して、端末１１１〜１１ｎへ、この送信権情報を送信する。
【０１６４】
端末１１１は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が送信されるように、周波数設定部１１０２３に送信部１４２の周波数帯の変更を指示する。そして、送信部１４２の周波数帯の設定が変更され、同軸伝送路１１０１を通して端末１１２へ、周波数設定部１１０２３が設定した周波数帯で伝送情報が送信される。
【０１６５】
端末１１２は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が受信されるように、周波数設定部１１０２３に受信部１４１の周波数帯の変更を指示する。そして、受信部１４１の周波数帯の設定が変更され、同軸伝送路１１０１を通して端末１１１から、周波数設定部１１０２３が設定した周波数帯で伝送情報が受信される。
【０１６６】
以上のように、本実施の形態５の同軸伝送システムでは、端末間で使用周波数帯毎の伝送路状態を検査し、検査結果を端末が保持し、その検査結果と送信する伝送データの容量から使用周波数帯毎の送信期間情報を生成し、送信権管理装置に送信する。そして、送信権管理装置の送信権割当処理部では、送信権割当の処理を行う際に、端末間の使用周波数帯毎の伝送路状態情報から生成された送信要求期間を考慮し、割当期間およびその端末間の通信に使用する周波数帯を決定することにより、送信権割当処理の最適化を図り、伝送効率の高い通信が行える。
【０１６７】
（実施の形態６）
図１７は、本発明の実施の形態６の同軸伝送システムの構成ブロック図である。なお、実施の形態４の同軸伝送システムと同じ機能を有する構成の部分には同一の番号を付し、その説明を省略する。
【０１６８】
端末１１１〜１１ｎは、それぞれ、実施の形態４の端末の構成に加えて、伝送路状態保持部１１０２１で保持される送信先端末との間の複数の伝送路状態情報から、要求伝送路を決定する送信伝送路決定部１６１１を備えている。ここで、決定される要求伝送路とは、送信先の特定の端末との間での望ましい伝送仕様（特定の周波数帯域、変調方式と伝送帯域幅など）の伝送路条件のことである。そして、送信要求生成部１６１２は、送信先情報と送信元情報と送信伝送路決定部１６１１で決定された要求伝送路情報から、送信要求情報を生成するようになっている。なお、ここで決定される要求伝送路の伝送路情報は、本発明の、他の端末との通信で希望する伝送条件における伝送路情報の一例である。
【０１６９】
また、送信権管理装置１２は、送信権割当処理部１６２１が、受信部１５１で受信した信号から端末１１１〜１１ｎからの送信要求情報を抽出し、送信先端末情報と送信元端末情報と要求伝送路情報から、送信権の割当（割当周波数帯域と割当期間）を処理するようになっている。
【０１７０】
本実施の形態６の同軸伝送システムのタイムフレームは、図３に示す、実施の形態１のタイムフレームと同一構成である。
【０１７１】
図１８は、本実施の形態６の同軸伝送システムの送信要求情報の構成である。なお、実施の形態１の送信要求情報と同じ内容の部分には同一の番号を付し、その説明を省略する。
【０１７２】
図１８に示す送信要求情報の１７１は、送信伝送路決定部１６１１で決定した要求伝送路情報である。
【０１７３】
本実施の形態６の同軸伝送システムの送信権情報は、図１４に示す、実施の形態４の送信権情報と同一構成である。
【０１７４】
次に、本実施の形態６の同軸伝送システムで、端末１１１から端末１１２へ伝送を行う場合の、端末１１１〜１１ｎと送信権管理装置１２における動作について説明する。なお、実施の形態４の場合と同じ動作の部分は、その説明を省略する。
【０１７５】
端末１１１は、まず、端末１１２〜１１ｎとの間での同軸伝送路１１０１の周波数帯域毎の伝送路状態情報を保持するために周波数帯域毎の伝送路状態の検査を行う。同様に、端末１１２〜１１ｎも、他の端末との間での同軸伝送路１１０１の周波数帯域毎の伝送路状態情報を保持するために伝送路状態の検査を行う。
【０１７６】
次に、端末１１１の送信伝送路決定部１６１１は、伝送路状態保持部１１０２１で保持される送信先端末との間の複数の伝送路状態情報から要求伝送路を決定する。送信要求生成部１６１２は、送信先である端末１１２の送信先端末情報３１と送信元である自端末１１１の送信元端末情報３２と送信伝送路決定部１６１１で決定された要求伝送路情報１７１から送信要求情報を生成する。そして、送信部１４２は、送信要求期間２２に、同軸伝送路１１０１を通して送信権管理装置１２へ、この送信要求情報を送信する。
【０１７７】
送信権管理装置１２は、受信部１５１で、同軸伝送路１１０１から伝送情報を受信する。そして、送信権割当処理部１６２１は、送信要求期間２２に受信した伝送情報から送信要求情報を抽出し、送信先端末情報３１（この場合は端末１１２）と送信元端末情報３２（この場合は端末１１１）と要求伝送路情報１７１から、端末１１１〜１１ｎ（この場合は端末１１１）への送信権の割当処理を行う。
【０１７８】
そして、送信権情報生成部１１０３２で、送信権割当処理部１６２１で割当てられた送信権から、送信先端末情報４１と送信元端末情報４２と送信期間情報４３と周波数帯域情報１３０１とで構成される端末１１１〜１１ｎへの送信権情報（図１４参照）が生成される。送信部１５２は、送信権通知期間２３に、同軸伝送路１１０１を通して端末１１１〜１１ｎへ、この送信権情報を送信する。
【０１７９】
端末１１１は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が送信されるように、周波数設定部１１０２３に送信部１４２の周波数帯の変更を指示する。そして、送信部１４２の周波数帯の設定が変更され、同軸伝送路１１０１を通して端末１１２へ、周波数設定部１１０２３が設定した周波数帯で伝送情報が送信される。
【０１８０】
端末１１２は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が受信されるように、周波数設定部１１０２３に受信部１４１の周波数帯の変更を指示する。そして、受信部１４１の周波数帯の設定が変更され、同軸伝送路１１０１を通して端末１１１から、周波数設定部１１０２３が設定した周波数帯で伝送情報が受信される。
【０１８１】
以上のように、本実施の形態６の同軸伝送システムでは、端末間で使用周波数帯毎の伝送路状態を検査し、検査結果を端末が保持し、その検査結果から要求周波数帯域を決定し、送信権管理装置に送信する。そして、送信権管理装置の送信権割当処理部では、送信権割当の処理を行う際に、要求周波数情報を考慮し、割当周波数を決定することにより、伝送効率の高い通信が行える。
【０１８２】
さらに、端末１１１〜１１ｎの送信要求生成部１６１２で生成される送信要求情報に送信する伝送データの容量を付加し、送信権管理装置１２に送信し、送信権管理装置１２の送信権割当処理部１６２１で送信権割当の処理を行う際に、端末が送信したい伝送データの容量を考慮し、割当期間を決定することにより、伝送効率のより高い通信が行える。
【０１８３】
（実施の形態７）
図１９は、本発明の実施の形態７の同軸伝送システムの構成ブロック図である。なお、実施の形態４の同軸伝送システムと同じ機能を有する構成の部分には同一の番号を付し、その説明を省略する。
【０１８４】
端末１１１〜１１ｎは、それぞれ、実施の形態４の端末の構成に加えて、伝送路状態保持部１１０２１で保持される送信先端末との間の複数の伝送路状態情報から要求伝送路の優先度を決定する送信伝送路優先順位決定部１８１１を備えている。ここで、要求伝送路の優先度とは、例えば、伝送速度の速い周波数帯域から優先順位を決定したものなどである。そして、送信要求生成部１８１２は、送信先情報と送信元情報と送信伝送路優先順位決定部１８１１で決定された優先度から、送信要求情報を生成するようになっている。
【０１８５】
また、送信権管理装置１２は、送信権割当処理部１８２１が、受信部１５１で受信した伝送情報から端末１１１〜１１ｎからの送信要求情報を抽出し、送信元情報と送信先情報と周波数帯域毎の優先度情報から、送信権の割当（割当周波数帯域と割当期間）を処理するようになっている。
【０１８６】
本実施の形態７の同軸伝送システムのタイムフレームは、図３に示す、実施の形態１のタイムフレームと同一構成である。
【０１８７】
図２０は、本実施の形態７の同軸伝送システムの送信要求情報の構成である。なお、実施の形態４の送信要求情報と同じ内容の部分には同一の番号を付し、その説明を省略する。
【０１８８】
送信要求情報の１９１は、送信先端末との間の複数の伝送路情報から送信伝送路優先順位決定部１８１１によって決定された要求伝送路の優先度を含む優先度情報である。優先度情報１９１とは、複数の伝送路状態情報と、そのそれぞれに対する優先度を含む情報である。
【０１８９】
本発明の実施の形態７の送信権情報は、図１４に示す、実施の形態４の送信権情報と同一構成である。
【０１９０】
次に、本実施の形態７の同軸伝送システムで、端末１１１から端末１１２へ伝送を行う場合の、端末１１１〜１１ｎと送信権管理装置１２での動作について説明する。なお、実施の形態４の場合と同じ動作の部分は、その説明を省略する。
【０１９１】
端末１１１は、まず、端末１１２〜１１ｎとの間での同軸伝送路１１０１における周波数帯域毎の伝送路状態情報を保持するために、周波数帯域毎の伝送路状態の検査を行う。同様に、端末１１２〜１１ｎも、他の端末との間での同軸伝送路１１０１における周波数帯域毎の伝送路状態情報を保持するために伝送路状態の検査を行う。
【０１９２】
次に、端末１１１の送信伝送路優先順位決定部１８１１は、伝送路状態保持部１１０２１で保持される送信先端末との間の複数の伝送路状態情報から、要求伝送路の優先度を決定する。この優先度は、例えば、伝送速度の速い周波数帯域から優先順位を決定する。
【０１９３】
送信要求生成部１８１２は、送信先である端末１１２の送信先端末情報３１と、送信元である自端末１１１の送信元端末情報３２と、送信伝送路優先順位決定部１８１１で決定された優先度から作成した優先度情報１９１とから送信要求情報を生成する。そして、送信部１４２は、送信要求期間２２に、同軸伝送路１１０１を通して送信権管理装置１２へ、この送信要求情報を送信する。
【０１９４】
送信権管理装置１２は、受信部１５１で、同軸伝送路１１０１から伝送情報を受信する。そして、送信権割当処理部１８２１は、送信要求期間２２に受信した伝送情報から送信要求情報を抽出し、送信先端末情報３１（この場合は端末１１２）と送信元端末情報３２（この場合は端末１１１）と優先度情報１９１から優先度の最も高い組み合わせを選択し、端末１１１〜１１ｎ（この場合は端末１１１）への送信権（割当周波数帯域と割当期間）の割当処理を行う。
【０１９５】
そして、送信権情報生成部１１０３２で、送信権割当処理部１８２１で割当てられた送信権から、送信先端末情報４１と送信元端末情報４２と送信期間情報４３と周波数帯域情報１３０１とで構成される端末１１１〜１１ｎへの送信権情報（図１４参照）を生成する。送信部１５２は、送信権通知期間２３に、同軸伝送路１１０１を通して端末１１１〜１１ｎへ、この送信権情報を送信する。
【０１９６】
本実施の形態７の同軸転送システムでは、送信権割当処理部１８２１における優先度情報に基づく送信権の割当処理を、優先度の最も高い組み合わせを選択することとしたが、伝送効率が高まる割当であれば、選択方法はどのようにしても良い。
【０１９７】
端末１１１は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が送信されるように、周波数設定部１１０２３に送信部１４２の周波数帯の変更を指示する。そして、送信部１４２の周波数帯の設定が変更され、同軸伝送路１１０１を通して端末１１２へ、周波数設定部１１０２３が設定した周波数帯で伝送情報が送信される。
【０１９８】
端末１１２は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が受信されるように、周波数設定部１１０２３に受信部１４１の周波数帯の変更を指示する。そして、受信部１４１の周波数帯の設定が変更され、同軸伝送路１１０１を通して端末１１１から、周波数設定部１１０２３が設定した周波数帯で伝送情報が受信される。
【０１９９】
以上のように、本実施の形態７の同軸伝送システムでは、端末間で使用周波数帯毎の伝送路状態を検査し、検査結果を端末が保持し、その検査結果から使用周波数帯毎の優先度を決定し、送信権管理装置に送信する。そして、送信権管理装置の送信権割当処理部では、送信権割当の処理を行う際に、端末間の使用周波数帯毎の優先度を考慮し、割当期間を決定することにより、送信権割当処理の最適化を図り、伝送効率の高い通信が行える。
【０２００】
さらに、端末１１１〜１１ｎの送信要求生成部１８１２で生成される送信要求情報に送信する伝送データの容量を付加し、送信権管理装置１２に送信し、送信権管理装置１２の送信権割当処理部１８２１で送信権割当の処理を行う際に、端末が送信したい伝送データの容量を考慮し、割当期間およびその端末間の通信に使用する周波数帯を決定させることにより、伝送効率のより高い通信が行える。
【０２０１】
（実施の形態８）
図２１は、本発明の実施の形態８の同軸伝送システムの構成ブロック図である。なお、実施の形態４の同軸伝送システムと同じ機能を有する構成の部分には同一の番号を付し、その説明を省略する。
【０２０２】
端末１１１〜１１ｎは、それぞれ、図１２に示す実施の形態４の端末の構成の伝送路状態保持部１１０２１の代わりに、伝送路状態検査部１４３で検査された使用周波数帯毎の伝送路状態から伝送路情報を生成する伝送路情報生成部２０１１を備えている。そして、送信要求生成部２０１２は、送信元情報と送信先情報から送信要求情報を生成するようになっている。
【０２０３】
また、送信権管理装置１２は、実施の形態４の送信権管理装置の構成に加えて、端末１１１〜１１ｎから送信された他の端末間との使用周波数帯毎の伝送路情報を保持する伝送路状態保持部２０２１を備えている。そして、送信権割当処理部２０２２は、送信先の端末情報と送信元の端末情報と伝送路状態保持部２０２１で保持されている端末間の使用周波数帯毎の伝送路情報から、送信権（割当周波数帯域と割当期間）の割当を処理するようになっている。
【０２０４】
本実施の形態８の同軸伝送システムのタイムフレームは、図９に示す実施の形態３のタイムフレームと同一構成である。また、本実施の形態８の端末間伝送路情報は、図１０に示す実施の形態３の端末間伝送路情報と同一構成である。また、本実施の形態８の送信要求情報は、図１１に示す実施の形態３の送信要求情報と同一構成である。また、本実施の形態８の送信権情報は、図１４に示す実施の形態４の送信権情報と同一構成である。
【０２０５】
次に、本実施の形態８の同軸伝送システムで、端末１１１から端末１１２へ伝送を行う場合の、端末１１１〜１１ｎと送信権管理装置１２における動作について説明する。なお、実施の形態４の場合と同じ動作の部分は、その説明を省略する。
【０２０６】
端末１１１は、まず、端末１１２〜１１ｎとの間での同軸伝送路１１０１における周波数帯域毎の伝送路状態情報を保持するために、周波数帯域毎の伝送路状態の検査を行う。同様に、端末１１２〜１１ｎも、他の端末との間での同軸伝送路１１０１における周波数帯域毎の伝送路状態情報を保持するために伝送路状態の検査を行う。
【０２０７】
次に、端末１１１〜１１ｎの伝送路情報生成部２０１１は、伝送路状態検査部１４３の周波数帯域毎の伝送路状態の検査結果から送信先端末情報９１と送信元端末情報９２と送信元と送信先の端末間の伝送路情報９３で構成される端末間伝送路情報を生成する。そして、送信部１４２は、伝送路情報伝送期間８１に、同軸伝送路１１０１を通して送信権管理装置１２へ、この端末間伝送路情報を送信する。
【０２０８】
送信権管理装置１２は、受信部１５１で、同軸伝送路１１０１から伝送情報を受信する。そして、伝送路状態保持部２０２１は、伝送路情報伝送期間８１に受信した伝送情報から端末間伝送路情報を抽出し、保持する。
【０２０９】
次に、端末１１１の送信要求生成部２０１２は、送信先である端末１１２の送信先端末情報３１と送信元である自端末１１１の送信元端末情報３２から送信要求情報を生成する。そして、送信部１４２は、送信要求期間２２に、同軸伝送路１１０１を通して送信権管理装置１２へ、この送信要求情報を送信する。
【０２１０】
送信権管理装置１２は、受信部１５１で、同軸伝送路１１０１から伝送情報を受信する。そして、送信権割当処理部２０２２は、送信要求期間２２に受信した伝送情報から送信要求情報を抽出し、送信先端末情報３１（この場合は端末１１２）と送信元端末情報３２（この場合は端末１１１）と伝送路状態保持部２０２１で保持されている周波数帯域毎の伝送路情報から、端末１１１〜１１ｎ（この場合は端末１１１）への送信権（割当周波数帯域と割当期間）の割当処理を行う。
【０２１１】
そして、送信権情報生成部１１０３２で、送信権割当処理部２０２２で割当てられた送信権から、送信先端末情報４１と送信元端末情報４２と送信期間情報４３と周波数帯域情報１３０１とで構成される端末１１１〜１１ｎへの送信権情報が生成される。送信部１５２は、送信権通知期間２３に、同軸伝送路１１０１を通して端末１１１〜１１ｎへ、この送信権情報を送信する。
【０２１２】
端末１１１は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が送信されるように、周波数設定部１１０２３に送信部１４２の周波数帯の変更を指示する。そして、送信部１４２の周波数帯の設定が変更され、同軸伝送路１１０１を通して端末１１２へ、周波数設定部１１０２３が設定した周波数帯で伝送情報が送信される。
【０２１３】
端末１１２は、割当時間取得部１４８が、受信部１４１を利用して、送信権通知期間２３に同軸伝送路１１０１から送信権情報を取得する。そして、その送信権情報が送受信伝送制御部２４７に渡され、送受信伝送制御部２４７は、送信先端末情報４１と送信元端末情報４２と送信期間情報４３で割当てられた情報伝送期間２４内の端末１１１と端末１１２間の情報伝送期間２５に、周波数帯域情報１３０１で割当てられた周波数帯で信号が受信されるように、周波数設定部１１０２３に受信部１４１の周波数帯の変更を指示する。そして、受信部１４１の周波数帯の設定が変更され、同軸伝送路１１０１を通して端末１１１から、周波数設定部１１０２３が設定した周波数帯で伝送情報が受信される。
【０２１４】
以上のように、本実施の形態８の同軸伝送システムでは、端末間で使用周波数帯毎の伝送路状態を検査し、検査結果を予め送信権管理装置に送信しておき、送信権管理装置に保持する。そして、端末からの送信要求を受けた際に、端末間の使用周波数帯毎の伝送路状態を考慮した送信権割当の処理を行うことができる。また、送信要求発生時毎に伝送路情報を付加することなく、送信要求情報の情報量の削減ができ、伝送効率の高い通信が行える。
【０２１５】
さらに、端末１１１〜１１ｎの送信要求生成部２０１２で生成される送信要求情報に送信する伝送データの容量を付加し、送信権管理装置１２に送信し、送信権管理装置１２の送信権割当処理部２０２２で送信権割当の処理を行う際に、端末が送信したい伝送データの容量を考慮し、割当期間およびその端末間の通信に使用する周波数帯を決定することにより、伝送効率のより高い通信が行える。
【０２１６】
以上に説明したように、各実施の形態の同軸伝送システムでは、端末もしくは送信権管理装置で使用周波数帯の伝送路状態を保持し、その伝送路情報により送信権管理装置が端末間の伝送路状態を考慮し、送信権の割当を行うことにより、各端末間の伝送路状態に対応した送信権の割当を行うことが可能となり、さらに、複数の周波数帯域を使用し、端末もしくは送信権管理装置で使用周波数帯毎の伝送路状態を保持し、端末が保持する場合には、伝送要求にその伝送路情報を付加し、送信権管理装置に送信し、送信権管理装置がこの伝送路情報により、各端末に効率的な送信権の割当を行うことにより、各端末間での周波数帯域毎の固有雑音に対応することが可能となり、高品質で、伝送効率の高い通信が可能となる。
【０２１７】
なお、各実施の形態では、伝送路状態として主に伝送速度を用いて説明したが、伝送エラー率など、その他の伝送路の状態を表すものを伝送路状態として使用してもよい。伝送速度を用いた場合には、システム全体として伝送効率を高くできるが、伝送エラー率を用いた場合には、システム全体として信頼性を高くすることができる。
【０２１８】
また、各実施の形態では、説明を容易にするために、伝送システムを同軸伝送システムとし、伝送路を同軸伝送路としたが、本発明は同軸伝送システム、同軸伝送路に限定されるものではなく、また、伝送路は有線、無線を問わない。
【０２１９】
なお、本発明は、上記に説明した各実施の形態に限定されるものでなく、その要旨を逸脱しない範囲で種々変形して実施できる。また、各実施の形態は、可能な限り組み合わせて実施することが可能であり、その場合には組み合わせによる効果が得られる。さらに、各実施の形態には、種々の上位，下位段階の発明が含まれており、開示された複数の構成要素の適宜な組み合わせにより種々の発明が抽出され得るものである。例えば、発明が解決するための手段に記載される全構成要件から幾つかの構成要件が省略されうることで発明が抽出された場合には、その抽出された発明を実施する場合には省略部分が周知慣用技術で適宜補われるものである。
【０２２０】
なお、本発明のプログラムは、上述した本発明の伝送システムの端末の、伝送路情報取得手段および伝送路情報送信手段の機能をコンピュータにより実行させるためのプログラムであって、コンピュータと協働して動作するプログラムである。
【０２２１】
また、本発明の記録媒体は、上述した本発明の伝送システムの端末の、伝送路情報取得手段および伝送路情報送信手段の機能をコンピュータにより実行させるためのプログラムを担持した記録媒体であり、コンピュータにより読み取り可能かつ、読み取られた前記プログラムが前記コンピュータと協働して利用される記録媒体である。
【０２２２】
また、本発明のプログラムは、上述した本発明の伝送システムの送信権管理装置の、伝送路情報受信手段、送信権割当処理手段、送信権情報送信手段の機能をコンピュータにより実行させるためのプログラムであって、コンピュータと協働して動作するプログラムである。
【０２２３】
また、本発明の記録媒体は、上述した本発明の伝送システムの送信権管理装置の、伝送路情報受信手段、送信権割当処理手段、送信権情報送信手段の機能をコンピュータにより実行させるためのプログラムを担持した記録媒体であり、コンピュータにより読み取り可能かつ、読み取られた前記プログラムが前記コンピュータと協働して利用される記録媒体である。
【０２２４】
また、本発明のプログラムの一利用形態は、コンピュータにより読み取り可能な記録媒体に記録され、コンピュータと協働して動作する態様であっても良い。
【０２２５】
また、記録媒体としては、ＲＯＭ等が含まれる。
【０２２６】
また、上述した本発明のコンピュータは、ＣＰＵ等の純然たるハードウェアに限らず、ファームウェアや、ＯＳ、更に周辺機器を含むものであっても良い。
【０２２７】
なお、以上説明した様に、本発明の構成は、ソフトウェア的に実現しても良いし、ハードウェア的に実現しても良い。
【産業上の利用可能性】
【０２２８】
伝送路の使用周波数帯域の情報を保持し、その情報により伝送路の送信権の割当処理を行うことで、使用環境に応じた効率的な通信環境を提供することによって、高画質な画像等の高品質、大容量を効率的に伝送することが不可欠な用途にも適応できる。
【図面の簡単な説明】
【０２２９】
【図１】本発明の特徴を説明するための、伝送システムの概要ブロック図
【図２】本発明の実施の形態１の同軸伝送システムの構成ブロック図
【図３】本発明の実施の形態１のタイムフレームを示す図
【図４】本発明の実施の形態１の送信要求情報の構成を示す図
【図５】本発明の実施の形態１の割当情報の構成を示す図
【図６】本発明の実施の形態２の同軸伝送システムの構成ブロック図
【図７】本発明の実施の形態２の送信要求情報の構成を示す図
【図８】本発明の実施の形態３の同軸伝送システムの構成ブロック図
【図９】本発明の実施の形態３のタイムフレームを示す図
【図１０】本発明の実施の形態３の端末間伝送路情報の構成を示す図
【図１１】本発明の実施の形態３の送信要求情報の構成を示す図
【図１２】本発明の実施の形態４の同軸伝送システムの構成ブロック図
【図１３】本発明の実施の形態４の送信要求情報の構成を示す図
【図１４】本発明の実施の形態４の割当情報の構成を示す図
【図１５】本発明の実施の形態５の同軸伝送システムの構成ブロック図
【図１６】本発明の実施の形態５の送信要求情報の構成を示す図
【図１７】本発明の実施の形態６の同軸伝送システムの構成ブロック図
【図１８】本発明の実施の形態６の送信要求情報の構成を示す図
【図１９】本発明の実施の形態７の同軸伝送システムの構成ブロック図
【図２０】本発明の実施の形態７の送信要求情報の構成を示す図
【図２１】本発明の実施の形態８の同軸伝送システムの構成ブロック図
【図２２】従来例の同軸伝送システムの構成ブロック図
【図２３】従来の伝送システムのタイムフレームを示す図
【図２４】従来の伝送システムの送信要求情報の構成を示す図
【図２５】従来の伝送システムの割当情報の構成を示す図
【符号の説明】
【０２３０】
１１１〜１１ｎ、２１１１〜２１１ｎ  端末
１２、２１２  送信権管理装置
１３、１１０１、２１３  同軸伝送路
１４１、１５１、２１４１、２１５１  受信部
１４２、１５２、２１４２、２１５２  送信部
１４３  伝送路状態検査部
１４４  伝送路状態検査制御部
１４５、７２１、１１０２１、２０２１  伝送路状態保持部
１４６、５１２、７１２、１１０２２、１４０１２、１６１２、１８１２、２０１２、２１４３  送信要求生成部
１４７、２４７、２１４４  送受信伝送制御部
１４８  割当時間取得部
１５３、５２１、７２２、１１０３１、１４０２１、１６２１、１８２１、２０２２、２１５３  送信権割当処理部
１５４、１１０３２、２１５４  送信権情報生成部
２１  伝送路検査期間
２２、２２１  送信要求期間
２３、２２２  送信権通知期間
２４、２２３  情報伝送期間
２５  端末１１１と端末１１２間の情報伝送期間
３１、４１、９１、２３１、２４１  送信先端末情報
３２、４２、９２、２３２、２４２  送信元端末情報
３３、９３  伝送路情報
４３、２４３  送信期間情報
５１１、１４０１１  送信期間情報生成部
６１、１５０１〜１５０ｍ  送信要求期間情報
７１１、２０１１  伝送路情報生成部
８１  伝送路情報伝送期間
１１０２３  周波数設定部
１２０１〜１２０ｍ  伝送路情報
１３０１  周波数帯域情報
１６１１  送信伝送路決定部
１７１  要求伝送路情報
１８１１  送信伝送路優先順位決定部
１９１  優先度情報
２２４  端末２１１１と端末２１１２間の情報伝送期間
【図１】
2006013802.tif 000003
【図２】
2006013802.tif 000004
【図３】
2006013802.tif 000005
【図４】
2006013802.tif 000006
【図５】
2006013802.tif 000007
【図６】
2006013802.tif 000008
【図７】
2006013802.tif 000009
【図８】
2006013802.tif 000010
【図９】
2006013802.tif 000011
【図１０】
2006013802.tif 000012
【図１１】
2006013802.tif 000013
【図１２】
2006013802.tif 000014
【図１３】
2006013802.tif 000015
【図１４】
2006013802.tif 000016
【図１５】
2006013802.tif 000017
【図１６】
2006013802.tif 000018
【図１７】
2006013802.tif 000019
【図１８】
2006013802.tif 000020
【図１９】
2006013802.tif 000021
【図２０】
2006013802.tif 000022
【図２１】
2006013802.tif 000023
【図２２】
2006013802.tif 000024
【図２３】
2006013802.tif 000025
【図２４】
2006013802.tif 000026
【図２５】
2006013802.tif 000027